(57)【要約】【課題】  組立作業性を十分に向上させることが可能なフレームキッチンを提供する。【解決手段】  このフレームキッチンは、カウンターの横幅方向の両端に各々取り付けられ、高さ方向に延びる一対の縦フレームと一対の縦フレームを奥行方向に連結する連結フレーム２２とにより構成されるＨ字状の脚部材と、連結フレーム２２の下面に取り付けられた補強フレーム５０と、補強フレーム５０の両端部に嵌め込まれる固定部材６０とを備えている。そして、固定部材６０に雌ネジ６２ａを形成し、連結フレーム２２と補強フレーム５０の上部とを貫通するネジ用孔２２ａおよび５０ａを設け、上方から連結フレーム２２のネジ用孔２２ａと補強フレーム５０の上部のネジ用孔５０ａとを挿通して固定部材６０の雌ネジ６２ａに螺合するネジ７０を設けた。【選択図】  図３
2007029375.tif 000002
【特許請求の範囲】
【請求項１】
カウンターの４隅を支持可能なように前記カウンターの横幅方向の両端に各々取り付けられ、高さ方向に延びる一対の縦フレームと前記一対の縦フレームを奥行方向に連結する連結フレームとにより構成されるＨ字状の脚部材と、
前記脚部材の連結フレーム同士を横幅方向に連結するように前記連結フレームの下面に取り付けられた補強フレームと、
前記補強フレームの両端部に嵌め込まれる固定部材とを備え、
前記固定部材側に雌ネジを形成し、
前記連結フレームと前記補強フレームの上部とを貫通するネジ用孔を設け、
上方から前記連結フレームのネジ用孔と前記補強フレームの上部のネジ用孔とを挿通して前記固定部材側の雌ネジに螺合するネジを設けたことを特徴とする、フレームキッチン。
【請求項２】
前記固定部材に、前記連結フレームの外端面に当接する立上り部を形成し、
前記立上り部に、前記連結フレームの外端面に形成した位置決め部に係合する位置決め孔を形成することを特徴とする、請求項１に記載のフレームキッチン。
【請求項３】
前記立上り部を前記連結フレームにネジで固定することを特徴とする、請求項２に記載のフレームキッチン。
【請求項４】
前記カウンター両端の脚部材の間に、横幅方向に移動可能な中間脚部材をさらに設け、
前記中間脚部材の連結フレームにネジ用孔を形成するとともに、
前記補強フレームに横幅方向の溝を形成し、
前記溝に、ナットが横幅方向に移動可能で、かつ、高さ方向に抜け止めされて設けられ、
上方から前記連結フレームのネジ用孔と前記溝とを挿通して前記ナットに螺合するネジを設けたことを特徴とする、請求項１〜３のいずれか１項に記載のフレームキッチン。
【発明の詳細な説明】
【技術分野】
【０００１】
本発明は、フレームキッチンに関し、特に、カウンターの４隅を支持する脚部材を備えたフレームキッチンに関する。
【背景技術】
【０００２】
従来、調理面としてのカウンターの４隅を支持可能な脚部材として、一対の縦フレームとそれらの縦フレーム同士を連結する連結フレームとにより構成されるＨ字状の脚部材をカウンター両端に備えたフレームキッチンが知られている（たとえば、特許文献１参照）。この特許文献１に開示されたような従来のフレームキッチンでは、一般に、上記脚部材の連結フレーム同士を補強フレームを用いて連結することにより、当該フレームキッチンの横幅方向の補強が行われる。
【０００３】
上記補強フレームを具備するフレームキッチンの組立方法としては、図７に示すように、まず、カウンター２１０をその調理面である表面が下方を向くように床面上などに配置する。そして、カウンター２１０の裏面側に脚部材２２０を上下逆さ状態で取り付ける。次に、この上下逆方向状態の脚部材２２０の連結フレーム２２２の下面（図７では上面）に上方から補強フレーム２５０をネジ止め固定する。このようにして組み上がったフレームキッチンをカウンター２１０の表面が上方を向くように引っ繰り返すことにより、フレームキッチンの組立作業が終了する。
【特許文献１】特開２００４−２２３００６号公報
【発明の開示】
【発明が解決しようとする課題】
【０００４】
しかしながら、上記のような従来の組立方法では、組み上がった状態のフレームキッチンを引っ繰り返していたため、組立作業性が低下するとともに組立時に広い作業スペースを必要とするという問題点があった。
【０００５】
そこで、フレームキッチンを引っ繰り返す作業工程を含まない組立方法として、以下のような方法が考えられる。すなわち、通常状態（上下順方向状態）の脚部材の連結フレームの下面に補強フレームを取り付けて、フレームキッチンの脚部分を組み立てた後、その組み上がった脚部分の上部にカウンターを載置固定する。
【０００６】
ところが、上述のカウンター後載せの組立方法においても、通常状態の脚部材の連結フレームの下面に補強フレームを取り付ける際には、下方からネジ止めを行わなければならないため、組立作業性を十分に向上させるのが困難であるという問題点がある。
【０００７】
なお、補強フレームを連結フレームの上面に取り付けた場合には、補強フレームの配置位置が高くなり、カウンター下の収納効率が低下する場合があるので好ましくない。
【０００８】
本発明は、上記のような課題を解決するためになされたものであり、組立作業性を十分に向上させることが可能なフレームキッチンを提供することを目的とする。
【課題を解決するための手段】
【０００９】
上記目的を達成するために、この発明の請求項１に記載のフレームキッチンは、カウンターの４隅を支持可能なようにカウンターの横幅方向の両端に各々取り付けられ、高さ方向に延びる一対の縦フレームと一対の縦フレームを奥行方向に連結する連結フレームとにより構成されるＨ字状の脚部材と、脚部材の連結フレーム同士を横幅方向に連結するように連結フレームの下面に取り付けられた補強フレームと、補強フレームの両端部に嵌め込まれる固定部材とを備え、固定部材側に雌ネジを形成し、連結フレームと補強フレームの上部とを貫通するネジ用孔を設け、上方から連結フレームのネジ用孔と補強フレームの上部のネジ用孔とを挿通して固定部材側の雌ネジに螺合するネジを設けたことを特徴とする。
【００１０】
補強フレームを連結フレームに仮係止した状態でネジ止め固定するために、固定部材に、連結フレームの外端面に当接する立上り部を形成し、その立上り部に、連結フレームの外端面に形成した位置決め部に係合する位置決め孔を形成する構成とすることが好ましい。
【００１１】
固定部材を介して補強フレームを連結フレームに強固に固定するために、立上り部を連結フレームにネジで固定する構成とすることが好ましい。
【００１２】
組立作業性をより向上させるために、カウンター両端の脚部材の間に、横幅方向に移動可能な中間脚部材をさらに設け、中間脚部材の連結フレームにネジ用孔を形成するとともに、補強フレームに横幅方向の溝を形成し、その溝に、ナットが横幅方向に移動可能で、かつ、高さ方向に抜け止めされて設けられ、上方から連結フレームのネジ用孔と溝とを挿通してナットに螺合するネジを設けた構成とすることが好ましい。
【発明の効果】
【００１３】
この発明のフレームキッチンによれば、補強フレームの端部に嵌め込まれる固定部材側に雌ネジを形成し、連結フレームと補強フレームの上部とを貫通するネジ用孔を設けたので、連結フレームの上方からネジ止めすることにより補強フレームを脚部材の連結フレームの下面に取り付けることができる。その結果、フレームキッチンの組立時の作業性を十分に向上させることができる。
【発明を実施するための最良の形態】
【００１４】
以下、本発明の実施形態を図面に基づいて説明する。
【００１５】
図１は、本発明の一実施形態によるフレームキッチンの全体構成を示した図であり、図２〜図４は、図１に示したフレームキッチンの要部構成を示した図である。まず、図１を参照して、本発明の一実施形態によるフレームキッチン１の全体構成について説明する。
【００１６】
本実施形態のフレームキッチン１は、図１に示すように、平板状のカウンター１０と、脚部材２０および３０と、中間脚部材４０と、補強フレーム５０とを備えている。これらのカウンター１０、脚部材２０（３０）、中間脚部材４０および補強フレーム５０は、アルミニウム合金などの材料により構成されている。
【００１７】
カウンター１０は、平面視長方形状に形成されており、その上面が調理面としての機能を有している。なお、カウンター１０には、所定箇所に例えばコンロ用開口部やシンクなどが形成されていてもよい。また、本実施形態では、カウンター１０の長手方向および短手方向をフレームキッチン１の横幅方向および奥行方向とする。
【００１８】
脚部材２０および３０は、カウンター１０の４隅を支持可能なように、カウンター１０の横幅方向の両端下部に各々取り付けられている。これらの脚部材２０および３０は、図示しないが、カウンター１０の下面に取り付けられたカウンター１０の外形よりも僅かに小さい長方形状の枠部材にボルトにより固定されている。
【００１９】
脚部材２０（３０）は、高さ方向に延びる一対の縦フレーム２１（３１）と、奥行方向に延びる連結フレーム２２（３２）とを含むＨ字状に形成されている。連結フレーム２２（３２）は、一対の縦フレーム２１（３１）の下端近傍同士を連結するように設けられており、フレームキッチン１を奥行方向に補強する機能を有している。これらの縦フレーム２１（３１）および連結フレーム２２（３２）は、断面四角形状の中空構造（パイプ構造）を有している。なお、脚部材３０は、脚部材２０と対称の構造を有している。
【００２０】
中間脚部材４０は、カウンター１０の横幅方向のほぼ中央下部に取り付けられており、脚部材２０および３０とともにカウンター１０を補助的に支持する機能を有している。この中間脚部材４０も脚部材２０と同様、上述の枠部材（図示せず）を介してカウンター１０の下面に取り付けられており、一対の縦フレーム４１と連結フレーム４２とにより構成されている。
【００２１】
補強フレーム５０は、断面四角形状の中空構造で、カウンター１０の横幅とほぼ同一の長さを有しており、脚部材２０の連結フレーム２２と脚部材３０の連結フレーム３２とを連結することによりフレームキッチン１を横幅方向に補強するために設けられている。この補強フレーム５０は、ネジ７０により脚部材２０および３０の連結フレーム２２および３２の下面に取り付けられるとともに、ネジ７１により中間脚部材４０の連結フレーム４２の下面に取り付けられている。また、補強フレーム５０は、カウンター１０の奥寄りの位置に配設されている。このように、補強フレーム５０を連結フレーム２２（３２および４２）の下面奥側に設けることによって、カウンター１０下にまとまった大きさの空間を容易に確保可能であるので、カウンター１０下部に例えば大容量の収納ユニット等を容易に配置することが可能になる。
【００２２】
次に、図２〜図４を参照して、上述の補強フレーム５０の取付部分の構成について詳細に説明する。
【００２３】
本実施形態の補強フレーム５０の両端には、補強フレーム５０を脚部材２０および３０の連結フレーム２２および３２に固定するための固定部材６０が各々嵌め込まれている。すなわち、補強フレーム５０は、その両端に配設された固定部材６０を介して連結フレーム２２および３２に取り付けられている。この固定部材６０は、アルミニウム合金や樹脂などの材料により構成されている。
【００２４】
脚部材２０の連結フレーム２２は、図２および図３に示すように、その上部および下部に各々形成されたネジ用孔２２ａと、その外端面に形成された上下一対の位置決め部２２ｂとを有している。このネジ用孔２２ａには、上記ネジ７０が挿入される。
【００２５】
また、補強フレーム５０は、当該補強フレーム５０の上部のうち連結フレーム２２のネジ用孔２２ａに対応する位置に形成されたネジ用孔５０ａを有している。このネジ用孔５０ａには、ネジ７０が挿入される。
【００２６】
また、固定部材６０は、高さ方向に延びるように形成され、連結フレーム２２の外端面に当接する立上り部６１と、立上り部６１の中央近傍および下端近傍から立上り部６１に直交して延びる上下一対の嵌合片６２および６３とを含む逆Ｆ字状に形成されている。この立上り部６１には、連結フレーム２２の上下一対の位置決め部２２ｂに各々係合可能な位置決め孔６１ａが形成されている。また、嵌合片６２および６３は、補強フレーム５０の内面に嵌め込まれ、補強フレーム５０の内面上部および内面下部に各々当接可能なように構成されている。これにより、立上り部６１のうちの嵌合片６２が形成された位置から下方部分が、補強フレーム５０の端部を覆うことになるので、当該フレームキッチン１の側方からの外観が損なわれるのを抑制することが可能である。また、上側の嵌合片６２には、固定部材６０が補強フレーム５０に嵌め込まれた際に補強フレーム５０のネジ用孔５０ａに対応する位置に雌ネジ６２ａが形成されている。この雌ネジ６２ａには、ネジ７０が螺合する。なお、固定部材６０には、上記雌ネジ６２ａに代えて、ネジ切りが行われていない単なる孔部が形成されていてもよい。この場合には、ネジ７０の回転によるタッピングにより固定部材６０にネジ７０が取り付けられる。
【００２７】
上記構成では、連結フレーム２２の位置決め部２２ｂと固定部材６０の位置決め孔６１ａとを係合させることにより、固定部材６０を介して補強フレーム５０を連結フレーム２２に十分な強度で仮係止することが可能であり、その状態では、連結フレーム２２の上下のネジ用孔２２ａと補強フレーム５０の上部のネジ用孔５０ａと固定部材６０の雌ネジ６２ａとが高さ方向において直列状態で配置される。また、ネジ７０を用いた固定により、当該フレームキッチン１のがた付きを抑えることが可能である。
【００２８】
また、連結フレーム２２の外端面には、水平方向に並んだ一対のネジ挿入孔（図示せず）が形成されており、固定部材６０の立上り部６１には、上記連結フレーム２２のネジ挿入孔に各々対応してネジ挿入孔（図示せず）が形成されている。そして、２つのネジ７２により、固定部材６０を連結フレーム２２に固定するように構成されている。この固定により、ネジ７０を中心とする脚部材２０および補強フレーム５０の捻り変形が十分に抑制されるので、当該フレームキッチン１のがた付きをより一層抑える効果を奏する。なお、上記ネジ７２による固定を省略することも可能である。
【００２９】
なお、脚部材３０の連結フレーム３２への補強フレーム５０の取付構成は、上述した脚部材２０の連結フレーム２２への補強フレーム５０の取付構成と対称であるので、その説明を省略する。
【００３０】
また、中間脚部材４０の連結フレーム４２は、図４に示すように、その上部および下部に各々形成されたネジ用孔４２ａを有している。このネジ用孔４２ａには、上記ネジ７１が挿入される。
【００３１】
また、補強フレーム５０は、当該補強フレーム５０の上部のうち連結フレーム４２のネジ用孔４２ａに対応する位置（本実施形態では、横幅方向のほぼ中央位置）に形成された雌ネジ５０ｂを有している。この雌ネジ５０ｂには、ネジ７１が螺合する。なお、補強フレーム５０には、上記の雌ネジ５０ｂに代えて、ネジ切りが行われていない単なる孔部が形成されていてもよい。
【００３２】
これにより、補強フレーム５０を脚部材２０（３０）の連結フレーム２２（３２）に仮係止した状態では、連結フレーム４２の上下のネジ用孔４２ａと補強フレーム５０の上部の雌ネジ５０ｂとが高さ方向において直列状態で配置される。
【００３３】
このように構成された本実施形態によるフレームキッチン１の組立方法の一例としては、たとえば、両端に固定部材６０が嵌め込まれた補強フレーム５０の一方端を、上下順方向状態の脚部材２０の連結フレーム２２の下面に当接させ、連結フレーム２２の位置決め部２２ｂを固定部材６０の位置決め孔６１ａに係合させる。これにより、補強フレーム５０を脚部材２０に仮係止する。ここで、本実施形態では、ネジ７０を、連結フレーム２２の上部のネジ用孔２２ａの上方から挿入して固定部材６０の雌ネジ６２ａに螺合させることにより、補強フレーム５０を脚部材２０に固定する。なお、この固定は仮固定であることが好ましい。
【００３４】
次に、補強フレーム５０の他方端を、上記とほぼ同様の手順により脚部材３０に仮固定した後、ネジ７２を用いて固定部材６０および連結フレーム２２を固定するとともに、必要に応じて、ネジ７０を本締めすることにより、補強フレーム５０を脚部材２０および３０により強固に固定する。なお、ネジ７２による固定およびネジ７０による本締め固定は、上記タイミングに限らず、たとえば、後述するカウンター１０の載置後などに行われてもよい。
【００３５】
次に、補強フレーム５０に中間脚部材４０を取り付ける。これは、ネジ７１を、連結フレーム４２の上部のネジ用孔４２ａの上方から挿入して補強フレーム５０の雌ネジ５０ｂに螺合させることにより行われる。
【００３６】
この時点で、脚部材２０および３０と中間脚部材４０と補強フレーム５０とによって、カウンター１０の４隅を含む下部６箇所を支持可能なフレームキッチン１の脚部分が自立状態で組み上げられる。
【００３７】
そして、上記脚部分の上部にカウンター１０を載置した後、カウンター１０の下面の枠部材に、各脚部材２０、３０および４０の上端を各々固定することにより、フレームキッチン１の組立作業が終了する。
【００３８】
本実施形態では、上記のように、補強フレーム５０の端部に嵌め込まれる固定部材６０に雌ネジ６２ａを形成し、連結フレーム２２と補強フレーム５０の上部とを貫通するネジ用孔２２ａおよび５０ａを設けたので、連結フレーム２２の上方からネジ止めすることにより補強フレーム５０を脚部材２０の連結フレーム２２の下面に取り付けることができる。その結果、フレームキッチン１を引っ繰り返す作業工程を含まない組立方法において、フレームキッチン１の組立時の作業性を十分に向上させることができる。
【００３９】
また、本実施形態では、上記のように、固定部材６０に、連結フレーム２２の外端面に当接する立上り部６１を形成し、その立上り部６１に、連結フレーム２２の外端面に形成した位置決め部２２ｂに係合する位置決め孔６１ａを形成したので、連結フレーム２２に対して補強フレーム５０を仮係止した状態でネジ７０による固定を行うことができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、中間脚部材４０をカウンター１０の横幅方向のほぼ中央に１つだけ設ける例について示したが、本発明はこれに限らず、中間脚部材４０を、カウンター１０両端の脚部材２０および３０の間に２つ以上設けてもよい。
【００４２】
また、中間脚部材がカウンターに対して横幅方向に移動可能に取り付けられたフレームキッチンにも本発明を適用可能である。この場合、カウンターの下面に取り付けられた枠部材のうちの横幅方向に沿った部分がレール構造を有するように構成されるのが好ましい。また、図５および図６に示すように、中間脚部材の連結フレーム１４２には、その上部および下部にボルト挿入孔１４２ａが各々形成されるとともに、補強フレーム１５０には、横幅方向に延びる溝１５１が形成されており、当該溝１５１には、横幅方向に移動可能で、かつ、高さ方向に抜け止めされたナット９０が嵌め込まれている。これにより、ボルト８０を、連結フレーム１４２の上部のボルト挿入孔１４２ａの上方から挿入するとともに、溝１５１に収容されたナット９０に係合させて締め付けることにより、中間脚部材の連結フレーム１４２と補強フレーム１５０とを固定することが可能である。また、ボルト８０を適宜緩めることにより、連結フレーム１４２と補強フレーム１５０との固定状態を解除して、中間脚部材を補強フレーム１５０に対して横幅方向に移動させることが可能であるので、カウンターに対して中間脚部材を横幅方向に移動させる際の作業性を向上させることができる。
【００４３】
また、本実施形態では、固定部材６０の嵌合片６２に雌ネジ６２ａを形成する例について示したが、本発明はこれに限らず、固定部材６０の嵌合部６２にボルト挿入孔を形成してもよい。この場合、補強フレーム５０内の嵌合部６２の下部にナットを配設して、連結フレーム２２の上方から挿入されたボルトの先端部分に上記ナットを係合させるように構成するのが好ましい。
【００４４】
また、本実施形態では、固定部材６０に嵌合片６２および６３を設ける例について示したが、本発明はこれに限らず、固定部材６０に、補強フレーム５０の内面に嵌まり込む断面四角形状の嵌合パイプを設けてもよい。この場合、固定部材６０の嵌合部分の強度が増加するので、補強フレーム５０の連結フレーム２２（３２）への取付強度を増大させることができる。
【図面の簡単な説明】
【００４５】
【図１】本発明の一実施形態によるフレームキッチンの全体構成を示した斜視図である。
【図２】図１に示したフレームキッチンの補強フレームの端部周辺の構成を示した部分拡大図である。
【図３】図２中のＡ−Ａ線に沿った断面図である。
【図４】図１中のＢ−Ｂ線に沿った断面図である。
【図５】本発明の変形例によるフレームキッチンの補強フレームの構成を示した斜視図である。
【図６】図５中のＣ−Ｃ線に沿った断面図である。
【図７】従来のフレームキッチンの組立方法を説明するための斜視図である。
【符号の説明】
【００４６】
１  フレームキッチン
１０  カウンター
２０、３０  脚部材
２１、３１  縦フレーム
２２、３２  連結フレーム
２２ａ  ネジ用孔
２２ｂ  位置決め部
４０  中間脚部材
５０、１５０  補強フレーム
５０ａ  ネジ用孔
６０  固定部材
６１  立上り部
６１ａ  位置決め孔
６２ａ  雌ネジ
７０  ネジ
７２  ネジ
８０  ボルト（ネジ）
９０  ナット
１４２  連結フレーム
１４２ａ  ボルト挿入孔（ネジ用孔）
１５１  溝
【図１】
2007029375.tif 000003
【図２】
2007029375.tif 000004
【図３】
2007029375.tif 000005
【図４】
2007029375.tif 000006
【図５】
2007029375.tif 000007
【図６】
2007029375.tif 000008
【図７】
2007029375.tif 000009